Podtech/llm-jp-corpus-v4-ja_patent huggingface dataset:
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
結晶形態ＩＩ又は結晶形態ＩＩＩの４−（（４−（（４−フルオロ−２−メチル−１Ｈ−インドール−５−イル）オキシ）−６−メトキシキナゾリン−７−イル）オキシ）−１−（２−オキサ−７−アザスピロ［３．５］ノナン−７−イル）ブタン−ｌ−オン。
【請求項２】
約８．４４、１０．５７、１４．９２、１７．２２、２１．２６及び２２．４２±０．２度２θ又は面間隔ｄで１０．４７、８．３６、５．９３、５．１５、４．１８及び３．９６±０．２Åでのピークを有する粉末Ｘ線回折（ＸＲＰＤ）パターンを有する、
ことを特徴とする請求項１に記載の結晶形態ＩＩ。
【請求項３】
図２に示すような粉末Ｘ線回折パターンを有する請求項１に記載の結晶形態ＩＩ。
【請求項４】
約９．６０、１０．４５、１９．３０、１９．７１、２１．８４及び２３．４２±０．２度２θ又は面間隔ｄで９．２１、８．４６、４．６０、４．５０、４．０７及び３．８０±０．２Åでのピークを有する粉末Ｘ線回折（ＸＲＰＤ）パターンを有する、
ことを特徴とする請求項１に記載の結晶形態ＩＩＩ。
【請求項５】
図３に示すような粉末Ｘ線回折パターンを有する請求項１に記載の結晶形態ＩＩＩ。
【請求項６】
ａ）水中で４−（（４−（（４−フルオロ−２−メチル−ｌＨ−インドール−５−イル）オキシ）−６−メトキシキナゾリン−７−イル）オキシ）−ｌ−（２−オキサ−７−アザスピロ［３．５］ノナン−７−イル）ブタン−ｌ−オンの懸濁液を撹拌することと、
ｂ）前記懸濁液から結晶形態ＩＩを単離することと、
を含む、ことを特徴とする請求項１から３のいずれか１項に記載の結晶形態ＩＩを調製する方法。
【請求項７】
前記化合物の結晶形態ＩＩＩのナノ粒子を得るために、４−（（４−（（４−フルオロ−２−メチル−ｌＨ−インドール−５−イル）オキシ）−６−メトキシキナゾリン−７−イル）オキシ）−ｌ−（２−オキサ−７−アザスピロ［３．５］ノナン−７−イル）ブタン−ｌ−オンの結晶形態Ｉ及び非イオン性界面活性剤を含む水性スラリーをウエットミルすることを含む、
ことを特徴とする請求項１、４又は５に記載の結晶形態ＩＩＩを調製する方法。
【請求項８】
請求項１から５のいずれか１項に記載の結晶形態を含む医薬組成物であって、
当該組成物は、薬学的に許容可能なキャリアを更に含む医薬組成物。
【請求項９】
請求項１から５のいずれか１項に記載の結晶形態を含むコア粒子であって、前記結晶形態は、当該コア粒子の少なくとも約８０ｗｔ％を構成する、コア粒子と、
前記コア粒子を囲む１以上の表面改変剤を含むコーティングと、
を含む複数の被覆粒子、
を含む医薬組成物。
【請求項１０】
前記１以上の表面改変剤は、親水性ブロック−疎水性ブロック−親水性ブロック構造を含むトリブロックコポリマーを含み、
前記疎水性ブロックは、少なくとも約２ｋＤａの分子量を有し、前記親水性ブロックは、前記トリブロックコポリマーの少なくとも約１５ｗｔ％を構成する、
ことを特徴とする請求項９に記載の医薬組成物。
【請求項１１】
前記医薬組成物は、局所投与、注射、眼への送達、経口投与又は吸入に適している、
ことを特徴とする請求項８から１０のいずれか１項に記載の医薬組成物。
【請求項１２】
治療上有効量の結晶形態又は医薬組成物を治療を必要とする対象に投与することにより疾患を治療することにおいて使用される、請求項１から５のいずれか１項に記載の結晶形態又は請求項８から１１のいずれか１項に記載の医薬組成物。
【請求項１３】
前記疾患は、増殖性疾患又は眼疾患である、
ことを特徴とする請求項１２に記載の結晶形態又は医薬組成物。
【請求項１４】
前記増殖性疾患は、癌である、
ことを特徴とする請求項１３に記載の結晶形態又は医薬組成物。
【請求項１５】
前記眼疾患は、網膜症、加齢性黄斑変性、角膜血管新生、糖尿病性黄斑浮腫、又は網膜静脈閉塞症である、
ことを特徴とする請求項１３に記載の結晶形態又は医薬組成物。
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
式Ｉ：
【化１】
2016535732.tif 000001
［式中：
Ｒ１はアルキル、アリール、アリールアルキル、シクロアルキルまたはヘテロアリールであり、ここで該アリール、アリールアルキルまたはヘテロアリールの部分はその個々の炭素原子を通して親分子に連結し、さらには該Ｒ１基はアルケニル、アルコキシ、アルコキシカルボニル、アルコキシカルボニルアミノ、アルキル、アルキルスルホニル、アルキルチオキシ、アミノカルボニル、アルキニル、カルボン酸、シアノ、ハロ、ハロアルキル、ハロアルコキシ、ヒドロキシ、ヒドロキシアルキル、チオキシ、−ＳＯ２アルキル、ヘテロアリールおよびニトロの群より独立して選択される０−４個の基で置換され；
Ｒ２は−Ｈ、Ｃ１−Ｃ４アルキル、またはＣ３−Ｃ４シクロアルキルであるか；
あるいはＲ１およびＲ２はそれらが結合する原子と一緒になって０−２個のアルキル基で置換されてもよいヘテロ環式環を形成し；
Ｒ３は−Ｈ、Ｃ１−Ｃ４アルキル、またはＣ３−Ｃ４シクロアルキルであり；
Ｒ４は−Ｈ、アルキル、アリール、Ｃ５−Ｃ１０ビシクロアルキル、シクロアルキル、またはヘテロアリールであり、アルケノキシ、アルケニル、アルコキシ、アルコキシカルボニル、アルキル、ベンジルオキシ、カルボアミド、シアノ、ハロ、ハロアルキル、ハロアルコキシ、−ＮＨＣＯ（アルキル）、−ＳＯ２Ｎ−ヘテロサイクル、−ＯＨ、二トロ、および−ＣＨ２ＯＨの群より独立して選択される０−３個の基で置換されるか；
Ｒ５およびＲ６は、Ｈまたはアルキルより独立して選択されるか、あるいはＲ５およびＲ４はそれらが結合する原子と一緒になってアリール基を形成するか、あるいはＲ５およびＲ６はそれらが結合する原子と一緒になってＣ３−Ｃ４シクロアルキルを形成し；
Ｒ７は−Ｈ、アルキル、アリール、ヘテロアリール、ヘテロアリールアルキル、Ｃ３−Ｃ７シクロアルキルまたはジアルキルアミノアルキルであり、ここで該アリールまたはヘテロアリールは、−ＯＨ、−ＮＨＣＯアルキル、−ＮＨＣＯＮ（アルキル）２、−ＮＨＣＯ２−アルキル、−ＣＯＮＨ２、−ＣＮ、−ＳＯ２Ｎ（アルキル）２、アルコキシ、アルキル、ハロ、ハロアルコキシ、およびハロアルキルの群より独立して選択される０−３個の基で置換され；および
Ｒ８は−Ｈ、アルキル、アリールアルキル、シクロアルキル、ハロアルキルまたはヘテロアリールアルキルであるか；
あるいはＲ７およびＲ８は、それらが結合する窒素原子と一緒になって、アルキル、アルコキシ、ハロ、−ＯＨ、−ＣＮ、および−ＳＯ２Ｎ（アルキル）２の群より独立して選択される０−３個の基で置換されるヘテロ環を形成する］
で示される化合物、またはその医薬的に許容される塩。
【請求項２】
Ｒ１がアリールである、請求項１に記載の化合物。
【請求項３】
Ｒ１がフェニル、ビフェニルまたはナフタレニルである、請求項２に記載の化合物。
【請求項４】
Ｒ１がヘテロアリールである、請求項１に記載の化合物。
【請求項５】
Ｒ１がチオフェン、ピラゾロフェニル、フラニルフェニル、ピリジニルフェニル、ピリミジニルフェニル、チオフェニルフェニル、ベンゾチオフェン、オキサジアゾールフェニル、インドール、およびアザインドールの群より選択される、請求項４に記載の化合物。
【請求項６】
Ｒ１とＲ２がヘテロアリール環を形成する、請求項１に記載の化合物。
【請求項７】
ヘテロアリール環がイソチアゾリジン  １,１−ジオキシドである、請求項６に記載の化合物。
【請求項８】
Ｒ４がアリールである、請求項１に記載の化合物。
【請求項９】
Ｒ４がフェニル、ナフタレニル、またはビアリールである、請求項８に記載の化合物。
【請求項１０】
Ｒ４がヘテロアリールである、請求項１に記載の化合物。
【請求項１１】
Ｒ４がトリアゾールまたはチオフェンである、請求項１０に記載の化合物。
【請求項１２】
Ｒ７がアリールである、請求項１に記載の化合物。
【請求項１３】
Ｒ７がフェニルまたはナフタレニルである、請求項１２に記載の化合物。
【請求項１４】
Ｒ７がヘテロアリールである、請求項１に記載の化合物。
【請求項１５】
Ｒ７がベンゾジオキソリル、ジハロベンゾジオキソリル、ベンゾチアゾール、キノリン、ベンゾチアゾール、ベンズイミダゾール、キナゾリン、キノキサリン、ジヒドロベンゾフラン、クロマン、ベンゾキサゾール、イソキノリン、およびイソキノリノンの群より選択される、請求項１４に記載の化合物。
【請求項１６】
Ｒ７とＲ８が、一緒になって、テトラヒドロイソキノリン、ジヒドロ−ベンゾ［１,４］オキサジン、ジヒドロインドール、テトラヒドロチエノ［３,２−ｃ］ピリジン、２−オキサ−５−アザビシクロ［２.２.１］ヘプタン、アゼチジン、およびピリジニルピロリジンの群より選択されるヘテロ環を形成する、請求項１に記載の化合物。
【請求項１７】
治療的に効果的な量の請求項１に記載の化合物、および医薬的に許容される担体、賦形剤および／または希釈剤を含む、ＨＩＶ感染を治療するのに有用な組成物。
【請求項１８】
請求項１〜１６のいずれか一項に記載の化合物またはその医薬的に許容される塩を含む、ＨＩＶ感染症治療剤。
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
Ｂ型肝炎ウイルス感染を有する対象を処置するための、有効量のＳＴＩＮＧアゴニストを含む薬学的組成物。
【請求項２】
前記ＳＴＩＮＧアゴニストが、マクロファージ、樹状細胞、肝非実質細胞、またはこれらの任意の組み合わせ中の自然サイトカイン応答を刺激する、請求項１に記載の薬学的組成物。
【請求項３】
前記自然サイトカイン応答がサイトカインを介して媒介される、請求項２に記載の薬学的組成物。
【請求項４】
前記自然サイトカイン応答が１型インターフェロンを介して媒介される、請求項３に記載の薬学的組成物。
【請求項５】
前記ＳＴＩＮＧアゴニストがフラボノイドを含む、請求項１から４のいずれかひとつに記載の薬学的組成物。
【請求項６】
前記フラボノイドが、１０−（カルボキシメチル）９（１０Ｈ）アクリドン（ＣＭＡ）、５，６−ジメチルキサンテノン−４−酢酸（ＤＭＸＡＡ）、メトキシボン、６，４'−ジメトキシフラボン、４'−メトキシフラボン、３'，６'−ジヒドロキシフラボン、７，２'−ジヒドロキシフラボン、ダイゼイン、ホルモノネチン、レツシン７−メチルエーテル、キサントン、またはこれらの任意の組み合わせを含む、請求項５に記載の薬学的組成物。
【請求項７】
前記フラボノイドがＤＭＸＡＡを含む、請求項６に記載の薬学的組成物。
【請求項８】
前記ＳＴＩＮＧアゴニストが感染した肝細胞中のＢ型肝炎ウイルスの複製を抑制する、請求項１から７のいずれかひとつに記載の薬学的組成物。
【請求項９】
前記ＳＴＩＮＧアゴニストがＢ型肝炎ウイルスのキャプシド濃度を減少させる、請求項８に記載の薬学的組成物。
【請求項１０】
その中で関心対象の化合物で処置された細胞がインキュベートされた条件培地またはその一部を含む、Ｂ型肝炎ウイルス感染を有する対象を処置するための薬学的組成物であって、前記細胞が、肝固有樹状細胞、マクロファージ、非実質細胞、またはこれらの任意の組み合わせであり、前記条件培地またはその一部が、前記処置された細胞から取り出されたものである、前記薬学的組成物。
【請求項１１】
前記関心対象の化合物が１つ以上のＳＴＩＮＧアゴニストを含む、請求項１０に記載の薬学的組成物。
【請求項１２】
前記ＳＴＩＮＧアゴニストが、フラボノイドを含む、請求項１１に記載の薬学的組成物。
【請求項１３】
前記フラボノイドが、１０−（カルボキシメチル）−９（１０Ｈ）アクリドン（ＣＭＡ）、５，６−ジメチルキサンテノン−４−酢酸（ＤＭＸＡＡ）、メトキシボン、６，４'−ジメトキシフラボン、４'−メトキシフラボン、３'，６'−ジヒドロキシフラボン、７，２'−ジヒドロキシフラボン、ダイゼイン、ホルモノネチン、レツシン７−メチルエーテル、キサントン、またはこれらの任意の組み合わせを含む、請求項１２に記載の薬学的組成物。
【請求項１４】
前記フラボノイドがＤＭＸＡＡを含む、請求項１３に記載の薬学的組成物。
【請求項１５】
前記肝固有樹状細胞、マクロファージ、非実質細胞、またはこれらの任意の組み合わせがヒト細胞である、請求項１０から１４のいずれかひとつに記載の薬学的組成物。
【請求項１６】
前記ヒト肝固有樹状細胞、マクロファージ、非実質細胞、またはこれらの任意の組み合わせが、変異体ＳＴＩＮＧを発現するように改変される、請求項１０から１５のいずれかひとつに記載の薬学的組成物。
【請求項１７】
前記ヒト肝固有樹状細胞、マクロファージ、非実質細胞、またはこれらの任意の組み合わせが、前記関心対象の化合物による処置の前に、変異体ＳＴＩＮＧでトランスフェクトされるかまたはトランスフォームされる、請求項１６に記載の薬学的組成物。
【請求項１８】
前記変異体ＳＴＩＮＧがＳＴＩＮＧ Ｓ１６２Ａである、請求項１６または１７のいずれかに記載の薬学的組成物。
【請求項１９】
前記肝固有樹状細胞、マクロファージ、非実質細胞、またはこれらの任意の組み合わせが自己細胞である、請求項１０から１８のいずれかひとつに記載の薬学的組成物。
【請求項２０】
関心対象の化合物で肝固有樹状細胞、マクロファージ、非実質細胞、またはこれらの任意の組み合わせを処置すること；
条件培地中で前記処置した細胞をインキュベートすること；
前記処置した細胞から前記条件培地またはその一部を取り出すこと；及び
前記条件培地とＢ型肝炎ウイルスに感染した肝細胞をインキュベートすること
を含む、Ｂ型肝炎ウイルス感染の処置に有用な化合物を同定する方法。
【請求項２１】
Ｂ型肝炎ウイルスの複製を測定することをさらに含む、請求項２０に記載の方法。
【請求項２２】
前記処置ステップが、肝固有樹状細胞、マクロファージ、非実質細胞、またはこれらの任意の組み合わせ内で自然サイトカイン免疫応答を刺激し、サイトカインを条件培地に放出する、請求項２０または２１のいずれかに記載の方法。
【請求項２３】
前記サイトカインがＩ型インターフェロンを含むが、これに限定されない、請求項２２に記載の方法。
【請求項２４】
前記条件培地が、前記感染した肝細胞中のＢ型肝炎の複製を抑制する、請求項２０から２３のいずれかひとつに記載の方法。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
空気発泡された水溶性液体クリーニング剤を提供するためのシステムであって、
周囲圧力よりも大きい圧力で空気を提供する空気ポンプと、
圧力により前記水溶性液体クリーナを提供する液体ポンプと、
前記空気ポンプから空気を受け取る空気入口と、前記液体ポンプから液体を受け取る液体入口と、泡出口とを有する核生成デバイスであって、前記加圧された空気と前記液体とを乱流式に混合して泡を形成する核生成デバイスと、
泡導管を通して前記泡を受け取るノズルであって、前記ノズル及び前記導管の内部通路が、前記泡の乱流を増大させないように適合され構成され、前記ノズルは、泡の低速流を送出するように適合され構成されるノズルと
を備える、システム。
【請求項２】
前記ノズルが、前記泡の低速流をジェット・エンジンの抽気ダクトに提供するように適合され構成されている、請求項１に記載のシステム。
【請求項３】
前記ストリームが、略一定の直径を有する、請求項１に記載のシステム。
【請求項４】
前記ノズルが第１の流れ面積を有し、前記導管が第２の流れ面積を有し、前記第１の流れ面積は、前記第２の流れ面積とほぼ同じである、請求項１に記載のシステム。
【請求項５】
前記泡出口が第１の流れ面積を有し、前記導管が第２の流れ面積を有し、前記第１の流れ面積が、前記第２の流れ面積とほぼ同じである、請求項１に記載のシステム。
【請求項６】
前記ノズルが、合計流れ面積を有する１つ又は複数のノズルであり、前記泡出口が出口面積を有し、前記出口面積は、前記合計流れ面積とほぼ同じである、請求項１に記載のシステム。
【請求項７】
前記核生成デバイスが空気加圧されたプレナムを備え、該プレナムは、複数の空気流開口を有し、前記液体の流れが供給されるチャンバ内に配置され、前記開口は、空気を前記液体流に放出して前記泡を形成するようになっている、請求項１に記載のシステム。
【請求項８】
前記核生成デバイスによって受け取られる前記空気が、約１０ｐｓｉｇ超且つ約１２０ｐｓｉｇ未満の圧力を有する、請求項１に記載のシステム。
【請求項９】
前記核生成デバイスによって受け取られる前記液体が、約１０ｐｓｉｇ超え且つ約１２０ｐｓｉｇ未満の圧力を有する、請求項１に記載のシステム。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
往復ピストン機械のための長さ調節可能なコネクティングロッド（１）であって、
小径のコネクティングロッド穴（２）を備えた少なくとも一つの第一ロッド部（６）と、大径のコネクティングロッド穴（４）を備えた第二ロッド部（９）とを有し、前記二つのロッド部（６、９）は互いに向かって、及び／又は互いの中へ、入れ子状に移動可能であり、
前記第二ロッド部（９）は案内シリンダ（８）を形成するとともに、前記第一ロッド部（６）は前記案内シリンダ（８）内において長手方向に変位可能であるピストン部材（７）を形成し、前記ピストン部材（７）の前記大径のコネクティングロッド穴（４）に対向する側において、前記第二ロッド部（９）と前記ピストン部材（７）との間に第一高圧室（１０）が設けられ、この第一高圧室に少なくとも一つの第一油路（２０）が通じており、
前記第一高圧室（１０）から少なくとも一つの第一戻り油路（２２）が延出しており、その第一戻り油路の流出断面が、制御弁（１３）によって第一位置において閉塞可能であるとともに、第二位置において開放可能であり、
前記ピストン部材（７）は、複動型のピストンとして構成されていることを特徴とするコネクティングロッド（１）。
【請求項２】
前記制御弁（１３）の前記第一位置は、前記第一ロッド部（６）の延長位置（Ａ）と関連付けられるとともに、
前記制御弁（１３）の前記第二位置は、前記第一ロッド部（６）の短縮位置（Ｂ）と関連付けられることを特徴とする請求項１に記載のコネクティングロッド（１）。
【請求項３】
前記第一ロッド部（６）は、前記延長位置（Ａ）と前記短縮位置（Ｂ）との両方において、前記第二ロッド部（９）に対して油圧ロック可能であることを特徴とする請求項２に記載のコネクティングロッド（１）。
【請求項４】
前記制御弁（１３）は、前記コネクティングロッド（１）の前記第二ロッド部（４）の収容ボア（１４）内において軸方向に変位可能な制御ピストン（１５）を備える、請求項１から３のいずれか一項に記載のコネクティングロッド（１）。
【請求項５】
前記制御ピストン（１５）は、戻しバネ（１６）によって前記第一位置に移動可能であるとともに、作動力によって前記戻しバネ（１６）の力に抗して前記第二位置に移動可能である、請求項４に記載のコネクティングロッド（１）。
【請求項６】
前記ピストン部材（７）の前記小径のコネクティングロッド穴（２）に対向する側において、前記第二ロッド部（９）に固定連結される保持部（３３）と前記ピストン部材（７）との間に第二高圧室（１１）が設けられ、この第二高圧室に少なくとも一つの第二油路（３０）が通じていることを特徴とする請求項４又は５に記載のコネクティングロッド（１）。
【請求項７】
前記第二油路（３０）に、前記第一高圧室（１０）の方向に開く第二逆止弁（３１）が設けられている、請求項６に記載のコネクティングロッド（１）。
【請求項８】
前記第二高圧室（１１）から少なくとも一つの第二戻り油路（３２）が延出しており、その第二戻り油路の流出断面が、前記制御弁（１３）によって前記第二位置において閉塞可能であるとともに、前記第一位置において開放可能であることを特徴とする請求項１から７のいずれか一項に記載のコネクティングロッド（１）。
【請求項９】
前記第一及び第二戻り油路（２２、３２）のみが前記制御弁（１３）によって制御可能であることを特徴とする請求項１から８のいずれか一項に記載のコネクティングロッド（１）。
【請求項１０】
前記制御弁（１３）に通じる供給ライン（２５）に、少なくとも一つの逆流絞り（２９）が配置されていることを特徴とする請求項１から９のいずれか一項に記載のコネクティングロッド（１）。
【請求項１１】
前記第二油路（３０）及び／又は前記第二戻り油路（３２）は、前記コネクティングロッド（１）の長手方向軸心（１ａ）を含む、前記コネクティングロッド（１）の長手方向中心面（ε）の外側に配置されていることを特徴とする請求項６から１２のいずれか一項に記載のコネクティングロッド（１）。
【請求項１２】
前記保持部（３３）は、前記案内シリンダ（８）内に突出する交換可能なストッパスリーブによって形成されることを特徴とする請求項１から１１のいずれか一項に記載のコネクティングロッド（１）。
【請求項１３】
前記ストッパスリーブは前記第二ピストン部（９）に螺合されている、請求項１２に記載のコネクティングロッド（１）。
【請求項１４】
前記第一油路（２０）への供給断面は、前記制御弁（１３）によって前記第二位置において閉塞可能であるとともに、前記第一位置において開放可能であることを特徴とする請求項１から１３のいずれか一項に記載のコネクティングロッド（１）。
【請求項１５】
前記第二油路（３０）への供給断面は、前記制御弁（１３）によって前記第一位置において閉塞可能であるとともに、前記第二位置において開放可能であることを特徴とする請求項６から１４に記載のコネクティングロッド（１）。
【請求項１６】
前記制御ピストン（１５）の作動は、油圧による液圧的に、又は電磁的に、行われることを特徴とする請求項４から１５のいずれか一項に記載のコネクティングロッド（１）。
【請求項１７】
前記制御ピストン（１５）の作動は、戻しバネ（１６）の力に抗して行われることを特徴とする請求項１６に記載のコネクティングロッド（１）。
【請求項１８】
前記制御ピストン（１５）は、強磁性材料から構成されている、又は、クランクケースに設けられた誘導コイル（４１）と相互作用する永久磁石を有することを特徴とする請求項１６又は１７に記載のコネクティングロッド（１）。
【請求項１９】
前記制御ピストン（１５）は、少なくとも一つのロック部材（４３、４４）によって、少なくとも一つの位置にロック可能である、請求項１６から１８のいずれか一項に記載のコネクティングロッド（１）。
【請求項２０】
前記制御ピストン（１５）は、バネ付勢押圧部によって形成された、請求項１９に記載のコネクティングロッド（１）。
【請求項２１】
前記ロック部材（４３、４４）は、前記制御ピストン（１５）の移動方向に対して横断方向で、これに作用するバネ付勢押圧体を有することを特徴とする請求項１９又は２０に記載のコネクティングロッド（１）。
【請求項２２】
前記往復ピストン機械が内燃機関である、請求項１から２１のいずれか一項に記載のコネクティングロッド（１）。
【請求項２３】
前記第一油路（２０）に、前記第一高圧室（１０）の方向に開く第一逆止弁（２１）が設けられている、請求項１から２２のいずれか一項に記載のコネクティングロッド（１）。
【請求項２４】
前記ピストン部材（７）は、段付きピストンとして構成されている、請求項１から２３のいずれか一項に記載のコネクティングロッド（１）。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
流体流れ間の熱交換および物質移動の少なくともいずれか一方のための装置（１３）であって、複数のシート（１，１’）を備えており、各シート（１，１’）が開流路（３，５）を形成している波形部を有しており、一つおきの開流路（３）が波形開流路（３）であり、各波形開流路（３）の断面が、２つの流路端点（３ａ，３ｂ）と、該２つの流路端点（３ａ，３ｂ）の間に位置する２つの山部（３ｃ，３ｄ）および谷底（３ｅ）とを有しており、
各波形開流路（３）の２つの流路端点（３ａ，３ｂ）は該波形開流路（３）の開口を画定しており、各対の波形開流路（３）の中間に位置する残りの開流路が中間開流路（５）であり、波形開流路（３）および中間開流路（５）が互いに反対の方向に開口を有しており、
前記複数のシート（１，１’）が、隣接する各対のシート（１，１’）の開流路（３）が流体流路（１１）を形成するように重ねられており、前記装置が、流入口（７）および流出口（９）を備えており、各流入口（７）が２枚の隣接するシート（１）の流体流路（１１）内に流体を向けるように配置されており、各流出口（９）が２枚の隣接するシート（１）の流体流路（１１）から流体を出すように配置されており、各流入口および各流出口が、流体流路の１層のみに対して機能する、装置（１３）。
【請求項２】
前記２つの山部（３ｃ，３ｄ）が、前記流路端点（３ａ，３ｂ）の間を延びる直線（Ｌ）から第１距離（ｄ１）をなして位置しており、前記谷底（３ｅ）が前記直線（Ｌ）から第２距離（ｄ２）をなして位置している、請求項１に記載の装置（１３）。
【請求項３】
前記谷底（３ｅ）が前記２つの山部（３ｃ，３ｄ）の間に位置している、請求項１または２に記載の装置（１３）。
【請求項４】
前記２つの山部（３ｃ，３ｄ）間を接続している区分（３ｈ，３ｉ）の断面形状が、前記一つおきの開流路（３）の間に位置する各開流路（５）の断面形状に適合している、請求項１乃至３のいずれか一項に記載の装置（１３）。
【請求項５】
前記流路端点の一方（３ａ）を前記山部の一方（３ｃ）に接続している区分（３ｆ）の全体が、前記谷底（３ｅ）を前記山部の他方（３ｄ）に接続している区分（３ｈ）の全体と平行である、請求項１乃至４のいずれか一項に記載の装置（１３）。
【請求項６】
前記流路端点の他方（３ｂ）を前記山部の他方（３ｄ）に接続している区分（３ｇ）の全体が、前記谷底（３ｅ）を前記山部の一方（３ｃ）に接続している区分（３ｉ）の全体と平行である、請求項１乃至５のいずれか一項に記載の装置（１３）。
【請求項７】
前記一つおきの流路（３）のそれぞれが略Ｍ字状の断面を有している、請求項１乃至６のいずれか一項に記載の装置（１３）。
【請求項８】
前記シート（１，１’）が熱交換シートである、請求項１乃至７のいずれか一項に記載の装置（１３）。
【請求項９】
シート（１，１’）の前記流路端点（３ａ，３ｂ）が、隣接するシート（１，１’）の対応する谷底（３ｅ）と係合している、請求項１乃至８のいずれか一項に記載の装置（１３）。
【請求項１０】
各流入口（７）および流出口（９）がテーパー状をなしている、請求項１乃至９のいずれか一項に記載の装置（１３）。
【請求項１１】
各流入口（７）が、前記流体流路（１１）の長手方向長さに平行な流入開口（７ａ）を有しており、各流入開口（７ａ）がシート（１，１’）の横方向端部に整合しており、各流入口（７）が前記横方向端部から前記シート（１，１’）の他方の横方向端部に向かって延びており、各流入口（７）が前記横方向端部から前記他方の横方向端部にかけて流体流路（１１）の流路流入開口（１ａ）に向かってテーパーしている、請求項１０に記載の装置（１３）。
【請求項１２】
各流出口（９）が、前記流体流路（１１）の長手方向長さに平行な流出開口（９ａ）を有しており、各流出開口（９ａ）がシート（１，１’）の横方向端部に整合しており、各流出口（９）が前記横方向端部から前記シート（１，１’）の他方の横方向端部に向かって延びており、各流出口（９）が前記横方向端部から前記他方の横方向端部にかけて前記流体流路（１１）の流路流出開口（１ｂ）に向かってテーパーしている、請求項１０または１１に記載の装置（１３）。
【請求項１３】
流体流れ間の熱交換および物質移動の少なくともいずれか一方のためのシート（１，１’）の製造方法であって、
ａ）ブランクシート（１５）を提供することと、
ｂ）一つおきの流路（３）の断面が２つの流路端点（３ａ，３ｂ）と、該２つの流路端点（３ａ，３ｂ）の間に位置する２つの山部（３ｃ，３ｄ）および谷底（３ｅ）とを有するように、前記ブランクシート（１５）に波形付けをして開流路（３，５）を形成することと、からなり、
波形開流路（３）の前記２つの流路端点（３ａ，３ｂ）が該波形開流路（３）の開口を画定しており、各対の波形開流路（３）の中間に位置する残りの開流路が中間開流路（５）であり、波形開流路（３）および中間開流路（５）が互いに反対の方向に開口を有している、方法。
【請求項１４】
波形付けの工程ｂ）が１）熱成形、または２）折り線（１７，１９）に沿った折り曲げによって行われる、請求項１３に記載の方法。
【手続補正２】
【補正対象書類名】明細書
【補正対象項目名】発明の名称
【補正方法】変更
【補正の内容】
【発明の名称】流体流れ間の熱交換および物質移動の少なくともいずれか一方のための装置およびそのためのシートの製造方法
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマー及び強化充填剤をベースとするゴム組成物であって、ジエンエラストマーが、ジエンエラストマーの鎖に沿ってランダムに分布している式（Ｉ）：
【化１】
2016535807.tif 000001
(I)
（式中、
Ｚ、Ｙ、Ｒ及びＲ’の４つの記号のうち３つは、同じであるか又は異なり、それぞれ１原子又は原子団を表し、Ｚ及びＹは、それらが結合している炭素原子と一緒になって環を形成することが可能であり、
Ｚ、Ｙ、Ｒ又はＲ’の４番目の記号は、ジエンエラストマーへの直接的又は間接的結合を示す）
に対応するイミダゾール環を含むことを特徴とする、ゴム組成物。
【請求項２】
Ｒ’が、エラストマーへの直接的又は間接的結合を示す、請求項１に記載のゴム組成物。
【請求項３】
Ｚ及びＹが、それぞれ水素原子であるか、又は
Ｚ及びＹが、それらが結合している炭素原子と一緒になって環を形成している、請求項２に記載のゴム組成物。
【請求項４】
Ｒが、水素原子、又は少なくとも１個のヘテロ原子を含み得る炭素ベースの基を表す、請求項２又は３に記載のゴム組成物。
【請求項５】
イミダゾール環が、ジエンエラストマーにグラフトされた基である、請求項１から４までのいずれか１項に記載のゴム組成物。
【請求項６】
イミダゾール環が、ジエンエラストマーのジエン単位にグラフトされた基である、請求項１から４までのいずれか１項に記載のゴム組成物。
【請求項７】
イミダゾール環が、ジエンエラストマーへの１，３−双極子化合物のグラフト化により生じた基を介して、ジエンエラストマーにグラフトされており、１，３−双極子化合物が、式（ＩＩ）：
Ｑ−Ａ−Ｂ      （ＩＩ）
（式中、
Ｑは、少なくとも１つの窒素原子を含む、双極子を含み、
Ａは、ＱをＢに連結する１原子又は原子団であり、
Ｂは、請求項１に記載の式（Ｉ）のイミダゾール環を含み、式（Ｉ）において、ジエンエラストマーへの間接的結合を示す４番目の記号は、Ａへの直接的結合を示す）
に対応する、請求項５又は６に記載のゴム組成物。
【請求項８】
Ｑが−Ｃ≡Ｎ→Ｏ単位を含む、請求項７に記載のゴム組成物。
【請求項９】
Ｑが、式（ＩＩＩ）：
【化２】
2016535807.tif 000002
(III)
（式中、
Ｒ1〜Ｒ5の５つの記号のうち４つは、同じであるか又は異なり、それぞれ１原子又は原子団であり、５番目の記号は、Ａへの直接的結合を示し、Ｒ1及びＲ5は、どちらもＨ以外であることが知られている）
に対応する単位を含む、請求項８に記載のゴム組成物。
【請求項１０】
Ｒ1、Ｒ3及びＲ5が、それぞれ、１〜６個の炭素原子のアルキル基である、請求項９に記載のゴム組成物。
【請求項１１】
ジエンエラストマーが、ジエンエラストマーを構成するモノマー単位１００モルあたり、０から３モルの間のイミダゾール環を含む、請求項１から１０までのいずれか１項に記載のゴム組成物。
【請求項１２】
強化充填剤が有機充填剤又は無機強化充填剤を含む、請求項１から１１までのいずれか１項に記載のゴム組成物。
【請求項１３】
有機充填剤がカーボンブラックであり、無機強化充填剤がシリカである、請求項１２に記載のゴム組成物。
【請求項１４】
請求項１１に記載のジエンエラストマー。
【請求項１５】
請求項１から１３までのいずれか１項に記載のゴム組成物を含むタイヤ。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
基材フィルムと、
前記基材フィルムの少なくとも一面に、ポリエステル樹脂および水分散性微粒子を含有し、前記基材フィルムと屈折率との差が０．０３以下のプライマー層とを含む偏光板用保護フィルムにおいて、
前記ポリエステル樹脂は、芳香族カルボン酸化合物および脂肪族カルボン酸化合物が１：９〜９：１のモル比で含まれる多塩基酸とポリオールの反応によって形成されるポリエステルグリコールを含むことを特徴とする、偏光板用保護フィルム。
【請求項２】
前記芳香族カルボン酸化合物および脂肪族カルボン酸化合物のモル比が２：８〜８：２であることを特徴とする、請求項１に記載の偏光板用保護フィルム。
【請求項３】
前記芳香族カルボン酸化合物は、オルト（ｏｒｔｈｏ）−フタル酸、イソフタル酸、テレフタル酸、１，４−ナフタレンジカルボン酸、２，５−ナフタレンジカルボン酸、２，６−ナフタレンジカルボン酸、ビフェニルジカルボン酸、およびテトラヒドロフタル酸からなる群より選択された少なくとも１種であることを特徴とする、請求項１に記載の偏光板用保護フィルム。
【請求項４】
前記脂肪族カルボン酸化合物は、鎖状脂肪族カルボン酸及び環状脂肪族カルボン酸からなる群より選択された少なくとも１種であることを特徴とする、請求項１に記載の偏光板用保護フィルム。
【請求項５】
前記鎖状脂肪族カルボン酸が、シュウ酸、コハク酸、マロン酸、グルタル酸、アジピン酸、ピメリン酸、スベリン酸、アゼライン酸、セバシン酸、リノール酸、マレイン酸、フマル酸、メサコン酸、及びイタコン酸からなる群から選択され、前記環状脂肪族カルボン酸が、ヘキサヒドロフタル酸、テトラヒドロフタル酸、１，３−シクロヘキサンジカルボン酸、及び１，４−シクロヘキサンジカルボン酸からなる群より選択されることを特徴とする、請求項４に記載の偏光板用保護フィルム。
【請求項６】
前記ポリエステル樹脂は、多塩基酸とポリオールの反応によって形成されるポリエステルグリコールに、アクリル系単量体を追加的に共重合して形成されたポリエステルアクリル樹脂を含むことを特徴とする、請求項１に記載の偏光板用保護フィルム。
【請求項７】
前記ポリエステルグリコールとアクリル系単量体が２：８〜７：３の重量比で共重合されることを特徴とする、請求項６に記載の偏光板用保護フィルム。
【請求項８】
前記プライマー層は、アクリル系化合物を追加的に含むことを特徴とする、請求項１に記載の偏光板用保護フィルム。
【請求項９】
前記基材フィルムは、屈折率が１．４５〜１．６５であることを特徴とする、請求項１に記載の偏光板用保護フィルム。
【請求項１０】
前記基材フィルムは、アクリル系フィルムであることを特徴とする、請求項１に記載の偏光板用保護フィルム。
【請求項１１】
前記プライマー層上に機能性コーティング層が積層されたことを特徴とする、請求項１に記載の偏光板用保護フィルム。
【請求項１２】
偏光子と、
前記偏光子の少なくとも一面に、請求項１〜１１のいずれか１項に記載の偏光板用保護フィルムとを含むことを特徴とする、偏光板。
【請求項１３】
請求項１２に記載の偏光板を含むことを特徴とする、画像表示装置。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
（ａ）流体接触表面、
（ｂ）反対側の流体非接触表面、
（ｃ）その領域内に共有結合で結合されたｐＨインジケータを含むｐＨ表示領域であって、流体のｐＨを表示し、ｐＨインジケータの色が流体のｐＨの変化に応答して変わる、ｐＨ表示領域、
（ｄ）流体をｐＨ表示領域に向かわせる、少なくとも１つの導管、
を含み、
装置が外側表面を有し、ｐＨ表示領域が外側表面に、または外側表面の近傍に配置され、
装置が、流体接触表面と、反対側の流体非接触表面との間に延在する周縁端を有し、外側表面が周縁端である、装置。
【請求項２】
少なくとも１つの導管が、流体を横方向にｐＨ表示領域に向かわせる、請求項１に記載の装置。
【請求項３】
ｐＨインジケータの色の変化が、約ｐＨ５から約ｐＨ１０の間で、または約ｐＨ５．５から約ｐＨ９．５の間で、または約ｐＨ６．５から約ｐＨ９．５の間で、検出可能である、請求項１または２に記載の装置。
【請求項４】
ｐＨインジケータがフェニルアゾ化合物を含む、請求項１から３の何れか１項に記載の装置。
【請求項５】
フェニルアゾ化合物が、２−［４（２−ヒドロキシエチルスルホニル）−フェニル］ジアゼニル］−４−メチルフェノール、１−ヒドロキシ−４−［４［（ヒドロキシエチルスルホニル）−フェニルアゾ］−ナフタレン−２−スルホネート、２−フルオロ−４−［４［（２−ヒドロキシエタンスルホニル）−フェニルアゾ］−６−メトキシフェノール、及び４−［４−（２−ヒドロキシエチルスルホニル）−フェニルアゾ］−２，，６−ジメトキシフェノールからなる群から選択される、請求項４に記載の装置。
【請求項６】
ｐＨインジケータがフェニルアゾ化合物の組み合わせを含む、請求項４または５に記載の装置。
【請求項７】
セルロース系材料を含む、請求項１から６の何れか一項に記載の装置。
【請求項８】
不織布メッシュまたは有孔フィルムである、請求項１から７の何れか一項に記載の装置。
【請求項９】
ｐＨ表示領域の少なくとも一部を覆う透明な層をさらに含む、請求項１から８の何れか一項に記載の装置。
【請求項１０】
（ａ）請求項１から９の何れか一項に記載の装置を準備する段階と、
（ｂ）装置を流体と接触させる段階と、
（ｃ）ｐＨインジケータの色を評価する段階と、
を含む、流体のｐＨを監視するための方法。
【請求項１１】
流体が、体液サンプルである、請求項１０に記載の方法。
【請求項１２】
体液サンプルが、唾液、尿、血液、汗／発汗である、請求項１１に記載の方法。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
固定形式文書をリフロー済み形式で提示するためのコンピューティング装置上で実行される方法であって、
テキストを含む表示コンテンツの部分を特定することであって、前記部分のそれぞれが確信度値でラベル付けされる、特定することと、
前記部分のそれぞれの前記確信度値からの合計値を計算することと、
閾値を超える前記合計値を検出することに応答して、前記部分のリフロービューを表示する選択コントロールを提示することであって、所定の閾値未満の確信度値を有する特定された部分に対しては、前記部分のリフロービューを提示する前記選択コントロールが表示されない、提示することと、
前記リフロービューを表示する前記選択コントロール上のアクションを検出することと、
前記部分を前記リフロービューに配列することによって前記部分を用いる前記リフロービューを生成することと、
前記表示コンテンツ内の前記部分と関連した位置に前記リフロービューを表示することと、を備える方法。
【請求項２】
前記部分を一次部分および二次部分の１つとして分類することをさらに備える、請求項１に記載の方法。
【請求項３】
前記一次部分に前記部分からのタイトル部分および少なくとも１つのボディ部分を含めることをさらに備える、請求項２に記載の方法。
【請求項４】
前記一次部分に、前記表示コンテンツを提示するペインの端に隣接する前記少なくとも１つのボディ部分を使用することをさらに備える、請求項３に記載の方法。
【請求項５】
前記一次部分に、前記表示コンテンツを提示するペインの上端、下端、右端および左端の１つに隣接する前記少なくとも１つのボディ部分を使用することをさらに備える、請求項３に記載の方法。
【請求項６】
前記一次部分に隣接する前記部分の１つを前記二次部分であると特定することをさらに備える、請求項３に記載の方法。
【請求項７】
固定形式文書をリフロー済み形式で提示するためのコンピューティング装置であって、
命令を記憶するように構成されるメモリと、
前記メモリに結合されるプロセッサと、を備え、前記プロセッサが、前記メモリに記憶される前記命令と連動して閲覧アプリケーションを実行し、前記閲覧アプリケーションが、
テキストを含む表示コンテンツの部分を特定し、
特定される部分を確信度値でラベル付けし、
前記部分のそれぞれの前記確信度値からの合計値を計算し、
前記部分におけるタイトル部分および少なくとも１つのボディ部分を検出し、
閾値を超える前記合計値を検出することに応答して、前記部分のリフロービューを表示する選択コントロールを提示することであって、所定の閾値未満の確信度値を有する特定された部分に対しては、前記部分のリフロービューを提示する前記選択コントロールが表示されず、提示し、
前記リフロービューを表示する前記選択コントロール上のアクションを検出し、
前記部分を用いる前記リフロービューを生成し、
前記表示コンテンツ内の前記部分と関連した位置に前記リフロービューを表示する
ように構成される、コンピューティング装置。
【請求項８】
前記閲覧アプリケーションが、前記部分を統合するようにさらに構成される、請求項７に記載のコンピューティング装置。
【請求項９】
前記閲覧アプリケーションが、複数の改行文字を一改行文字と置き換える、複数の間隔文字を一間隔文字と置き換える、および複数のタブ文字を一タブ文字と置き換える、の少なくとも１つを含む、前記部分を統合する一組の所定のルールを実行するようにさらに構成される、請求項８に記載のコンピューティング装置。
【請求項１０】
前記閲覧アプリケーションが、前記タイトル部分を前記少なくとも１つのボディ部分より上に配置するようにさらに構成される、請求項８に記載のコンピューティング装置。
【請求項１１】
前記閲覧アプリケーションが、複数のボディ部分の順序を前記閲覧アプリケーションのローカライゼーションプリファレンスに基づいて判断するようにさらに構成される、請求項８に記載のコンピューティング装置。
【請求項１２】
前記閲覧アプリケーションが、前記ローカライゼーションプリファレンスと関連した左から右の読み方向設定を決定することに応答して、前記複数のボディ部分の左部分を前記複数のボディ部分の右部分より上に配置するようにさらに構成される、請求項１１に記載のコンピューティング装置。
【請求項１３】
固定形式文書をリフロー済み形式で提示するための命令が記憶されるコンピュータ可読メモリ装置であって、前記命令が、
テキストを含む表示コンテンツの部分を特定することであって、前記部分のそれぞれが確信度値でラベル付けされる、特定することと、
前記部分のそれぞれの前記確信度値からの合計値を計算することと、
前記部分におけるタイトル部分および少なくとも１つのボディ部分を検出することと、
閾値を超える前記合計値を検出することに応答して、前記部分のリフロービューを表示する選択コントロールを提示することであって、所定の閾値未満の確信度値を有する特定された部分に対しては、前記部分のリフロービューを提示する前記選択コントロールが表示されない、提示することと、
前記リフロービューを表示する前記選択コントロール上のアクションを検出することと、
前記部分を用いる前記リフロービューを生成することと、
前記タイトル部分を前記少なくとも１つのボディ部分より上に配置することによって前記部分を統合することと、
前記表示コンテンツ内の前記部分と関連した位置に前記リフロービューを表示することと、を備える、コンピュータ可読メモリ装置。
【請求項１４】
前記命令が、前記表示コンテンツのフォント色を前記リフロービューの背景色に割り当てて前記リフロービューを前記表示コンテンツから対照的に引き立たせることをさらに備える、請求項１３に記載のコンピュータ可読メモリ装置。
【請求項１５】
前記命令が、前記リフロービューを前記表示コンテンツ内の前記部分と関連した前記位置に前記表示コンテンツ上に転置することと、
前記表示コンテンツのフォントと比較して拡大サイズを有する前記リフロービュー内の対照的なフォントを使用することと、をさらに備える、請求項１３に記載のコンピュータ可読メモリ装置。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
タービン排気セクションを有するガスタービンエンジンにおいて、
一対の同心状に間隔を置いて配置されたリングと、
前記リングの間に半径方向に延びた、該リングを接続および支持する複数のストラット構造であって、該ストラット構造は、回転ブレードの最終列の下流に支持され、かつ本体部分を有しており、該本体部分は、エンジンを通る軸方向ガス流の方向に、延在した弦寸法を有しており、前記本体部分の上流端部から前記ストラット構造の下流端部に向かって下流方向へ延びる弦軸線を規定している、ストラット構造と、
各本体部分の下流端部に配置された後縁フラップであって、該後縁フラップは、第１および第２のスパン方向部分を有しており、前記第１のスパン方向部分は、前記本体部分の前記弦軸線に対して所定の角度で流れを方向付けるように向けられており、前記第２のスパン方向部分は、前記第１のスパン方向部分の角度とは異なる角度である方向に流れを方向付けるように向けられている、後縁フラップと、
を備えることを特徴とする、ガスタービンエンジン。
【請求項２】
前記第１のスパン方向部分は、前記弦軸線の第１の側への方向でフラップ角を規定しており、前記第２のスパン方向部分は、前記弦軸線の、前記第１の側とは反対の第２の側への方向でフラップ角を規定している、請求項１記載のガスタービンエンジン。
【請求項３】
前記第１のスパン方向部分のフラップ角の方向は、周方向で隣接する第１のスパン方向部分に関して交互になっており、前記第２のスパン方向部分のフラップ角の方向は、周方向で隣接する第２のスパン方向部分に関して交互になっている、請求項２記載のガスタービンエンジン。
【請求項４】
各第１のスパン方向部分のフラップ角の方向は、全て同じ方向に向けられており、各第２のスパン方向部分のフラップ角の方向は、全て同じ方向に向けられている、請求項２記載のガスタービンエンジン。
【請求項５】
前記第１のスパン方向部分は、スパン方向中間位置から、前記ストラット構造に沿って前記リングのうち内側のリングに向かって延びており、前記第２のスパン方向部分は、中間位置から前記リングのうち外側のリングに向かって延びている、請求項１記載のガスタービンエンジン。
【請求項６】
前記スパン方向中間位置は、前記本体のスパン中央に位置している。請求項５記載のガスタービンエンジン。
【請求項７】
前記ストラット構造は、翼形シールドによって包囲されたストラットを有しており、前記ストラット構造は、エンジン用の排気ディフューザの上流端部に配置されている、請求項１記載のガスタービンエンジン。
【請求項８】
前記第１および第２のスパン方向部分は、前記本体に対して可動であり、前記第１のスパン方向部分は、前記第２のスパン方向部分から独立して可動である、請求項１記載のガスタービンエンジン。
【請求項９】
前記第１および第２のスパン方向部分の間のスパン方向移行部と交差する軸方向および周方向に延びる平面に位置し、前記第１および第２のスパン方向部分の間の半径方向流れを制限する、平坦なディバイダを備える、請求項１記載のガスタービンエンジン。
【請求項１０】
ガスタービンエンジン内の排気ディフューザであって、
環状ガス通路を形成する内側シュラウドおよび外側シュラウドと、
前記内側シュラウドを前記外側シュラウドに接続し、かつ回転ブレードの最終列の下流において前記ガス通路内に配置された複数のストラットと、
前記ストラットを包囲する翼形のシールドであって、各シールドは、上流の前縁を有する本体を有し、該本体は、前記シールドの前記前縁から下流端部に向かって下流軸方向へ延びる弦軸線を規定している、翼形のシールドと、
各シールドの前記下流端部に配置された後縁フラップであって、該後縁フラップは、第１および第２のスパン方向部分を有しており、前記第１のスパン方向部分は、前記本体の前記弦軸線に対して所定の角度で流れを方向付けるように向けられており、前記第２のスパン方向部分は、前記第１のスパン方向部分の角度とは異なる角度である方向に流れを方向付けるように向けられている、後縁フラップと、
を備えることを特徴とする、排気ディフューザ。
【請求項１１】
各シールドのために、前記第１のスパン方向部分は、前記弦軸線の第１の側への方向でフラップ角を規定しており、前記第２のスパン方向部分は、前記弦軸線の、前記第１の側とは反対の第２の側への方向でフラップ角を規定している、請求項１０記載の排気ディフューザ。
【請求項１２】
前記第１のスパン方向部分の前記フラップ角の方向は、周方向で隣接する前記第１のスパン方向部分に関して交互になっており、前記第２のスパン方向部分の前記フラップ角の方向は、周方向で隣接する前記第２のスパン方向部分に関して交互になっている、請求項１１記載の排気ディフューザ。
【請求項１３】
各第１のスパン方向部分の前記フラップ角の方向は、全て同じ方向に向けられており、各第２のスパン方向部分の前記フラップ角の方向は、全て同じ方向に向けられている、請求項１１記載の排気ディフューザ。
【請求項１４】
前記第１のスパン方向部分は、スパン方向中間位置から、前記シールドに沿って前記内側シュラウドに向かって延びており、前記第２のスパン方向部分は、中間位置から前記外側シュラウドに向かって延びている、請求項１０記載の排気ディフューザ。
【請求項１５】
前記スパン方向中間位置は、前記シールドのスパン中央に位置している。請求項１４記載の排気ディフューザ。
【請求項１６】
前記第１および第２のスパン方向部分は、前記弦軸線に対して可動である、請求項１０記載の排気ディフューザ。
【請求項１７】
前記第２のスパン方向部分から独立した移動において前記第１のスパン方向部分を作動させるために、前記第１および第２のスパン方向部分に接続されたアクチュエータを備える、請求項１６記載の排気ディフューザ。
【請求項１８】
前記第１および第２のスパン方向部分の間のスパン方向移行部と交差する軸方向および周方向に延びる平面に位置し、前記第１および第２のスパン方向部分の間の半径方向流れを制限する、平坦なディバイダを備える、請求項１０記載の排気ディフューザ。
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
組立プロセス中にデュアルサイド補強（ＤＳＲ）材料を素子上に塗布する方法であって、
プリント回路基板上に半田ペースト材料をプリントする工程と、
ピックアンドプレース装置を用いて、ボールグリッドアレイ素子を選択する工程と、
前記素子をＰｏＰ（package on package）機械上にプリントされたフラックスに浸漬する工程と、
前記素子を前記基板上の半田ペーストパッドに配置する工程とを備える、方法。
【請求項２】
前記素子を前記基板に取り付けるために、前記基板に熱を適用することによって前記素子をリフローさせる工程をさらに含む、請求項１に記載の方法。
【請求項３】
前記基板に熱を適用することによって前記素子をリフローさせる工程の後に、硬化性ＤＳＲ材料を用いて、前記素子と前記基板との間の隙間を充填する工程をさらに含む、請求項２に記載の方法。
【請求項４】
走査型電子顕微鏡を用いて、前記素子の下部の前記硬化性ＤＳＲ材料を分析する工程をさらに含む、請求項３に記載の方法。
【請求項５】
浸漬時間は、０．１秒〜５秒であることを特徴とする、請求項１に記載の方法。
【請求項６】
浸漬深さは、５０％〜９０％であることを特徴とする、請求項１に記載の方法。
【請求項７】
アンダーフィル材料の特性および増強された室温安定性を備えるデュアルサイド補強材料であって、
前記補強材料は、室温に安定である樹脂混合物、硬化剤、触媒、および少なくとも１つの他の添加剤を含む、デュアルサイド補強材料。
【請求項８】
前記補強材料は、従来のアンダーフィル材料の機械的特性を有する、請求項７に記載のデュアルサイド補強材料。
【請求項９】
前記補強材料は、従来のアンダーフィル材料の落下衝撃特性を有する、請求項７に記載のデュアルサイド補強材料。
【請求項１０】
前記樹脂混合物は、５〜１０重量％の機能性エポキシ樹脂と、１５〜３０重量％の高分子量二機能性固形エポキシ樹脂とを含む、請求項７に記載のデュアルサイド補強材料。
【請求項１１】
前記硬化剤は、１〜５重量％である、請求項１０に記載のデュアルサイド補強材料。
【請求項１２】
前記補強材料は、１００〜５００Ｐａ．Ｓの粘度を有する、請求項７に記載のデュアルサイド補強材料。